(57)【要約】【課題】  記録媒体の複数回の往復搬送を伴って画像を複数回に分けて記録する際に、記録媒体の搬送誤差により生じる画像劣化を抑制したインクジェット記録装置およびインクジェット記録方法を提供すること。【解決手段】  記録媒体前進時に対し後退時の記録率を小さくすることで、記録媒体搬送量誤差による画質影響を抑制する。【選択図】  図６
2020196136.tif 000002
【特許請求の範囲】
【請求項１】
インクを吐出する複数の記録素子を被記録媒体の幅に対応した数だけ配列した記録ヘッドと、
前記被記録媒体を前記記録素子列と直交する方向に搬送する搬送機構と、
前記被記録媒体の前進および後退を繰り返すことで、前記記録ヘッドからのインク吐出を複数回に分けて記録を行う記録制御部と、
を備えたインクジェット記録装置であって、
前記記録ヘッドからのインク吐出を複数回に分けて記録を行う記録制御部は
記録媒体を排出する第一の方向記録時の記録率より、記録媒体を戻す第二の方向記録時の記録率が小さくなるよう制御することを特徴とするインクジェット記録装置。
【請求項２】
異なる複数のインクを吐出する複数の記録素子を被記録媒体の幅に対応した数だけ配列した記録ヘッドと、
前記被記録媒体を前記記録素子列と直交する方向に搬送する搬送機構と、
前記被記録媒体の前進および後退を繰り返すことで、前記記録ヘッドからのインク吐出を複数回に分けて記録を行う記録制御部と、
を備えたインクジェット記録装置であって、
前記記録ヘッドからのインク吐出を複数回に分けて記録を行う記録制御部は
記録媒体を排出する第一の方向記録時の記録率より、記録媒体を戻す第二の方向記録時の記録率が小さくなるよう制御する色と、上記制御を行わない色とを有することを特徴とするインクジェット記録装置。
【請求項３】
記録媒体を排出する第一の方向記録時の記録率より、記録媒体を戻す第二の方向記録時の記録率が小さくなるよう制御を行う色と、記録媒体を排出する第一の方向記録時の記録率より、記録媒体を戻す第二の方向記録時の記録率が大きくなるよう制御を行う色とを有することを特徴とする請求項２に記載のインクジェット記録装置。
【請求項４】
インクを吐出する複数の記録素子を被記録媒体の幅に対応した数だけ配列した記録ヘッドと、
前記被記録媒体を前記記録素子列と直交する方向に搬送する搬送機構と、
前記被記録媒体の前進および後退を繰り返すことで、前記記録ヘッドからのインク吐出を複数回に分けて記録を行う記録制御部と、
異なる複数の記録モードと、
を備えたインクジェット記録装置であって、
前記記録ヘッドからのインク吐出を複数回に分けて記録を行う記録制御部は
記録媒体を排出する第一の方向記録時の記録率より、記録媒体を戻す第二の方向記録時の記録率が小さくなるよう制御する記録モードと、上記制御を行わない記録モードとを有することを特徴とするインクジェット記録装置。
【請求項５】
インクを吐出する複数の記録素子を被記録媒体の幅に対応した数だけ配列した記録ヘッドと、
前記被記録媒体を前記記録素子列と直交する方向に搬送する搬送機構と、
前記被記録媒体の前進および後退を繰り返すことで、前記記録ヘッドからのインク吐出を複数回に分けて記録を行う記録制御部と、
を備えたインクジェット記録装置であって、
前記記録ヘッドからのインク吐出を複数回に分けて記録を行う記録制御部は
記録する記録媒体に応じて、
記録媒体を排出する第一の方向記録時の記録率より、記録媒体を戻す第二の方向記録時の記録率が小さくなるよう制御するか否かを制御することを有することを特徴とするインクジェット記録装置。
【発明の詳細な説明】
【技術分野】
【０００１】
本発明は、ライン記録ヘッドを用いるマルチパス方式のインクジェット記録装置において、画像の記録時に記録媒体の搬送量誤差から生じる記録ドットの着弾位置ズレの影響を抑える技術に関する。
【背景技術】
【０００２】
特許文献１に記載のインクジェット記録装置には、記録媒体の幅方向に延在するライン記録ヘッドとして、同一のインクを吐出可能なインクジェット記録ヘッドが１組備えられている。この記録ヘッドに対して、記録媒体を複数回往復搬送させることによって、記録媒体に画像が複数回に分けて記録される。また、記録ヘッドを記録媒体の幅方向に移動させることにより、記録ヘッドにおける複数のノズルを用いて記録媒体の搬送方向に沿う同一ラスター上の画素を記録して、ノズル毎のインクの吐出特性のバラツキの影響を抑制することができる。
【先行技術文献】
【特許文献】
【０００３】
【特許文献１】特許第４７１５２０９号公報
【発明の概要】
【発明が解決しようとする課題】
【０００４】
しかし、上記の特許文献１に記載の記録装置においては、記録媒体を前進して記録を行う際に比べて、後退して記録を行う際の搬送精度が劣るため、記録ドットの着弾位置が本来着弾するべき位置からずれることで文字や線などの画像劣化を引き起こす場合がある。
【０００５】
本発明の目的は、記録媒体の複数回の往復搬送を伴って画像を複数回に分けて記録する際に、記録媒体の搬送誤差による画質影響を抑えることができるインクジェット記録装置およびインクジェット記録方法を提供することにある。
【課題を解決するための手段】
【０００６】
上記の目的を達成するために、本発明に係るインクジェット記録装置は、インクを吐出する複数の記録素子を被記録媒体の幅に対応した数だけ配列した記録ヘッドと、前記被記録媒体を前記記録素子列と直交する方向に搬送する搬送機構と、前記被記録媒体の前進および後退を繰り返すことで、前記記録ヘッドからのインク吐出を複数回に分けて記録を行う記録制御部と、を備えたインクジェット記録装置であって、前記記録ヘッドからのインク吐出を複数回に分けて記録を行う記録制御部は記録媒体を排出する第一の方向記録時の記録率より、記録媒体を戻す第二の方向記録時の記録率が小さくなるよう制御することを特徴とする。
【０００７】
また、本発明に係るインクジェット記録装置は、異なる複数のインクを吐出する複数の記録素子を被記録媒体の幅に対応した数だけ配列した記録ヘッドと、前記被記録媒体を前記記録素子列と直交する方向に搬送する搬送機構と、前記被記録媒体の前進および後退を繰り返すことで、前記記録ヘッドからのインク吐出を複数回に分けて記録を行う記録制御部と、を備えたインクジェット記録装置であって、前記記録ヘッドからのインク吐出を複数回に分けて記録を行う記録制御部は、記録媒体を排出する第一の方向記録時の記録率より、記録媒体を戻す第二の方向記録時の記録率が小さくなるよう制御する色と、上記制御を行わない色とを有することを特徴とする。
【０００８】
また、本発明に係るインクジェット記録装置は、記録媒体を排出する第一の方向記録時の記録率より、記録媒体を戻す第二の方向記録時の記録率が小さくなるよう制御を行う色と、記録媒体を排出する第一の方向記録時の記録率より、記録媒体を戻す第二の方向記録時の記録率が大きくなるよう制御を行う色とを有することを特徴とする。
【０００９】
また、本発明に係るインクジェット記録装置は、インクを吐出する複数の記録素子を被記録媒体の幅に対応した数だけ配列した記録ヘッドと、前記被記録媒体を前記記録素子列と直交する方向に搬送する搬送機構と、前記被記録媒体の前進および後退を繰り返すことで、前記記録ヘッドからのインク吐出を複数回に分けて記録を行う記録制御部と、異なる複数の記録モードと、を備えたインクジェット記録装置であって、前記記録ヘッドからのインク吐出を複数回に分けて記録を行う記録制御部は記録媒体を排出する第一の方向記録時の記録率より、記録媒体を戻す第二の方向記録時の記録率が小さくなるよう制御する記録モードと、上記制御を行わない記録モードとを有することを特徴とする。
【００１０】
また、本発明に係るインクジェット記録装置は、インクを吐出する複数の記録素子を被記録媒体の幅に対応した数だけ配列した記録ヘッドと、前記被記録媒体を前記記録素子列と直交する方向に搬送する搬送機構と、前記被記録媒体の前進および後退を繰り返すことで、前記記録ヘッドからのインク吐出を複数回に分けて記録を行う記録制御部と、を備えたインクジェット記録装置であって、前記記録ヘッドからのインク吐出を複数回に分けて記録を行う記録制御部は記録する記録媒体に応じて、記録媒体を排出する第一の方向記録時の記録率より、記録媒体を戻す第二の方向記録時の記録率が小さくなるよう制御するか否かを制御することを有することを特徴とする。
【発明の効果】
【００１１】
本発明に係るインクジェット記録装置によれば、記録媒体の搬送時の搬送量補正係数を搬送量寄与因子の変化に応じて変更することにより、搬送量誤差を抑えて、記録画像の文字や線などの画像劣化を抑制することができる。
【図面の簡単な説明】
【００１２】
【図１】本発明の第１の実施形態における記録装置の主要部の断面図である。
【図２】記録ヘッドの構成の説明図である。
【図３】記録装置の制御系のブロック図である。
【図４】ライン記録ヘッドを用いるマルチパス記録方式の説明図である。
【図５】通常の３パス記録におけるパス分割マスクの説明図である。
【図６】本発明の第１の実施形態におけるパス分割マスク説明図である。
【図７】本発明の第１の実施形態における記録媒体後退時の搬送精度に影響を与える変動因子の説明図である。
【図８】本発明の第３の実施形態におけるパス分割マスク説明図である。
【図９】本発明の第４の実施形態における印字モードと印字パス数の説明図である。
【図１０】本発明の第４の実施形態における印字モードと印字パス数とパス分割マスクの説明図である。
【図１１】普通紙、光沢紙の特性の説明図である。
【図１２】本発明の第５の実施形態における記録媒体と印字モードと印字パス数とパス分割マスクの説明図である。
【発明を実施するための形態】
【００１３】
以下、発明を実施するための形態について、図面を参照しながら説明する。
【００１４】
本明細書において、「記録」とは、文字、図形等有意の情報を形成する場合のみならず、有意無意を問わない。また「記録」とは、人間が視覚で知覚し得るように顕在化したものであるか否かを問わず、広く記録媒体上に、画像、模様、パターン等を形成、または媒体の加工を行う場合も表すものとする。また、「記録媒体」とは、一般的な記録装置で用いられる紙のみならず、広く、布、プラスチック・フィルム、金属板、ガラス、セラミックス、木材、皮革等、インクを受容可能なものも表すものとする。さらに、「インク」（「液体」という場合もある）とは、上記「記録」の定義と同様広く解釈されるべきものである。したがって、記録媒体上に付与されることによって、画像、模様、パターン等の形成または記録媒体の加工、あるいはインクの処理（例えば、記録媒体に付与されるインク中の色材の凝固または不溶化）に供され得る液体を表すものとする。またさらに、「ノズル」とは、特に断らない限り吐出口ないしこれに連通する液路およびインク吐出に利用されるエネルギーを発生する素子を総括していうものとする。
【００１５】
（第１の実施形態）
図１は、本実施形態のインクジェット記録装置（以下、「記録装置」ともいう）１の主要部の断面図である。
【００１６】
本例の記録装置１は、シート状の記録媒体４を矢印Ｘの搬送方向（第１方向）に搬送しながら、長尺なライン記録ヘッド（以下、「記録ヘッド」ともいう）２を用いて、プラテン１２上に搬送された記録媒体４に画像を記録するラインプリンタである。記録媒体４は、矢印Ｘ１の前進および矢印Ｘ２の後退のいずれにも搬送可能である。記録装置１は、ロール状に巻回された連続紙などの記録媒体４を保持する記録媒体ホルダ８、記録媒体４を支える記録媒体軸１１、記録媒体４を所定速度で搬送方向に搬送する搬送ローラ７、および記録ヘッド２を用いて記録媒体４に画像を記録する記録部３を備える。搬送駆動部１０と記録媒体軸１１はギヤ（不図示）を介して連動しており、搬送ローラ７と搬送駆動部１０の間には、搬送駆動部１０のトルクリミッタ（不図示）によって常にバックテンションがかかった状態にある。また記録媒体４は連続したロール紙に限定されず、カットシートであってもよい。カットシートの場合は、搬送ローラ７の上流側にはカットシート送りローラ（不図示）が備えられており、搬送ローラ７とカットシート送りローラ間には常にバックテンションがかかった状態にある。
【００１７】
記録装置１には、記録ヘッド２のノズル面をワイパによってクリーニングするクリーニング部６が備えられている。さらに、矢印Ｘ１方向における記録部３の下流側の位置には、記録媒体４の搬送路に沿って、記録媒体４を切断するカッタユニットおよび排紙バスケットが備えられている（いずれも不図示）。記録部３には、異なるインク色に対応した記録ヘッド２が備えられている。本例においては、Ｃ（シアン）、Ｍ（マゼンタ）、Ｙ（イエロー）、Ｋ（ブラック）の４色のインクに対応した４つの記録ヘッド２が備えられている。記録ヘッド２の配備数、および記録に用いるインクの色数は、本例のみに限定されない。
【００１８】
各色のインクは、対応するインクタンク（不図示）からインクチューブ（不図示）を介して、対応する記録ヘッド２に供給される。記録ヘッド２はヘッドホルダ５によって一体的に保持されており、ヘッドホルダ５には、記録ヘッド２と記録媒体４の表面との間の距離が変更できるように、ヘッドホルダ稼働軸１３に沿って矢印Ｚ方向（第１の移動方向）に上下移動させる機構が備えられている。さらにヘッドホルダ５には、記録媒体４の搬送方向と交差（本例の場合は、直交）するＹ方向（第２の移動方向）に、ヘッドホルダ５を移動させるための機構が備えられている。
【００１９】
クリーニング部６は駆動モータ（不図示）によって、記録ヘッド２のノズル面に沿って搬送方向とは直交する方向に移動するように構成されている。
【００２０】
図２は記録ヘッド２の説明図であり、図２（ａ）は、記録ヘッド２を記録媒体４の搬送方向から見た図、図２（ｂ）は、図２（ａ）中の下方から記録ヘッド２を見た下面図である。
【００２１】
記録ヘッド２のノズルからインクを吐出させるインクジェット方式としては、電気熱変換素子（ヒータ）、ピエゾ素子、静電素子、あるいはＭＥＭＳ素子などの吐出エネルギー発生素子を用いた種々の方式を採用することができる。記録ヘッド２は、使用が想定される記録媒体４の最大幅をカバーする範囲に亘って、ノズル列４２が形成されたフルライン記録ヘッドである。ノズル列４２の延在方向、つまりインクを吐出可能なノズルの配列方向は、矢印Ｘの搬送方向と交差（本例の場合は、直交）する方向である。記録ヘッド２のベース基板４０上には、ノズルチップ４１が備えられている。ノズルチップ４１は、ノズル列４２のノズルが形成されたノズル面と、各ノズルに対応する吐出エネルギー発生素子が埋め込まれたノズル基板と、を有する。本例の場合は、ノズル列４２に４色のインクが配列されている。
【００２２】
また、ワイパブレード４３が備わるワイパホルダ４４は、シャフト４５によってガイドされながら、駆動ベルト４６によって矢印Ｙ方向に移動される。これにより、記録ヘッド２のノズル面に付着したインクおよびゴミがワイパブレード４３によって払拭される。
【００２３】
図２（ｂ）の記録ヘッド２においては、１つのベース基板４０上に、１つのノズルチップ４１が配列されている。しかし記録ヘッド２は、図２（ｃ）のように、１つのベース基板４０上に複数のノズルチップ４１が配列された形態であってもよく、また、図２（ｄ）のように、複数のベース基板４０を支持部材４８によって繋ぎ合わせた形態であってもよい。
【００２４】
図３は、記録装置１の制御系のブロックである。
【００２５】
ＣＰＵ５０１は、記録装置１のシステム制御を司るプログラムをＲＯＭ５０２から読み出して実行し、そのプログラムにしたがってシステム全体を制御する。ＲＡＭ５１２は、プログラムを展開する作業領域として用いる。すなわちＲＡＭ５１２は、ＣＰＵ５０１が実行する処理に必要なデータおよび入力データなどを一時的に格納する。またＣＰＵ５０１は、クリーニング部６および搬送ユニット７等の動作も制御する。
【００２６】
さらにＣＰＵ５０１は、駆動回路５０７、２値化回路５０８、画像処理部５０９を通して、記録ヘッド２による記録動作を制御する。画像処理部５０９は、入力された記録すべきカラー画像データに対して、所定の画像処理を施す。すなわち、画像処理部５０９は、例えば、入力されたＲＧＢ各色成分の画像データによって再現される色域を、記録装置１によって再現される色域内に写像するための、データ変換を実行する。さらに画像処理部５０９は、変換されたデータに基づいて、各データが示す色を再現するインクの組み合わせに対応した色分解データ（ＣＭＹＫ各成分濃度データ）を求める処理を行い、各色に分解された色分解データのそれぞれに対して階調変換を行う。
【００２７】
２値化回路５０８は、画像処理部５０９によって変換された多値の濃度画像データに対してハーフトーン処理などを行ってから、２値データ（ビットマップデータ）に変換する。駆動回路５０７は、２値化回路５０８によって得られた２値データなどにしたがって、記録ヘッド２のノズルからインクを吐出させる。
【００２８】
不良ノズル補完部５１０は、不良ノズルの補完データの生成処理（以下、「補完処理」ともいう）を実行する。不良ノズル検出部５１１は、記録ヘッド２に形成されている複数のノズルのうち、インク滴の吐出状態が不良状態にあるノズル（不良ノズル）を検出する。その際、ＣＰＵ５０１は、ＲＯＭ５０２から読み出したパターンデータに基づいて、駆動回路５０７を介して記録ヘッド２を駆動すると共に、記録動作に関連する搬送ユニット７などを制御することにより、記録媒体４に不良ノズル検出用のパターンを記録する。その記録されたパターンを不良ノズル検出部５１１が読み取ることにより、不良ノズルが検出される。
【００２９】
本構成においてマルチパス記録を行う場合、記録媒体を前進、後退を繰り返し記録を行う。説明の簡略化のため、１つの記録領域を３回の記録で完成させる３パス記録にて図４に説明する。領域Ａに着目すると、まず記録媒体の前進により１パス目の記録を行う。次に記録媒体の後退により２パス目の記録を行う。さらに記録媒体の前進により３パス目の記録を行うとともに領域Ａに続く領域Ｂの１パス目の記録を行う。前進量は後退量より大きくなっており、上記を繰り返すことで、記録を完成させる。
【００３０】
マルチパス記録を行う際、図５に示すようなパス分割マスクを用いて、各パス毎に吐出する領域を決定している。入力画像データに対して、１パス目では図５のＡの白塗りされた領域は吐出せず、黒塗りされた領域のみ吐出を行う。同様に２パス目では図５のＢの白塗りされた領域は吐出せず、黒塗りされた領域のみ吐出を行い、３パス目では図５のＣの白塗りされた領域は吐出せず、黒塗りされた領域のみ吐出を行う。このことにより３パスにて画像が完成する。ここでは説明の簡略化のために６×６のマトリクスを繰り返し用いているがもちろんこのサイズに限定されるものではない。
【００３１】
通常３パス記録の場合、図５に示したように各パスでの記録数が同程度となるように約３３．３％としているが、本実施例では図６に示したように１パス目では約３８．９％、２パス目では約２２．２％、３パス目では約３８．９％となるようなパス分割マスクを用いている。ここでは図５のようなパス分割マスクを均等マスク、図６のようなパス分割マスクを往復差マスクと称する。この往復差マスクを用いるのは本構成における以下の課題解決のためである。
【００３２】
記録媒体を前進して記録を行う際は、搬送ローラと搬送駆動部の間には、搬送駆動部のトルクリミッタによって常にバックテンションがかかっている。一方、記録媒体を後退して記録を行う際は、特段バックテンションがかからず、また図７に示すように既に記録済みの用紙の長さや重さ、記録した量によるインクの重さ等、変動因子が多くある。図７（ａ）に対し図７（ｂ）では既に記録済の記録媒体の長さ、即ち重さが異なるし、さらには図７（ｃ）のように記録済のインク１００の重さの影響も受ける。これらのことから記録媒体の搬送精度は前進時に比べ後退時の方が劣る。後退時の搬送精度を向上するために、記録部の下流側にもローラを設けたり、搬送量の検知機構を設ける等も考えられるが記録面の汚れや装置の大型化、コスト増等の課題が生じる。
【００３３】
そこで本実施例では、記録媒体を後退して記録を行う際の記録量を、記録媒体を前進して記録を行う際の記録量より小さくすることで、記録媒体後退時に搬送精度に起因する画像劣化を抑制している。
【００３４】
本実施例のように、記録媒体の後退時の記録量を、前進時の記録量より小さくなるよう制御することで、装置構成の大型化、コスト増となることなく、良好な画像を提供できる記録を行うことができた。
【００３５】
また、本実施例では３パスの例を示したが、他の複数パスにおいても適用可能である。また、図６に示した往復差マスクによる記録率の数値は、パス数、記録媒体種等により変わりうる。
【００３６】
（第２の実施形態）
本実施形態は第１の実施形態に対してさらに詳細な制御を行った事例である。第１の実施形態と同様の部分は省略する。
【００３７】
本実施形態ではＣ（シアン）、Ｍ（マゼンタ）、Ｙ（イエロー）、Ｋ（ブラック）に加え、ＰＣ（淡シアン）、ＰＭ（淡マゼンタ）を用いる形態である。ここで本実施形態ではＣ（シアン）、Ｍ（マゼンタ）、Ｋ（ブラック）に対しては往復差マスクを用いるが、Ｙ（イエロー）、ＰＣ（淡シアン）、ＰＭ（淡マゼンタ）に対しては均等マスクを用いる。これは搬送精度に起因する画像劣化の視認しやすいインク、主には濃インクに対しては、第１の実施形態で示した効果を得るために記録媒体の前進時の記録量を、後退時の記録量より大きくなるよう制御する一方、搬送精度に起因する画像劣化の視認しにくいインク、主には淡インクに対しては、通常の記録量制御としている。これは記録媒体前進時の記録量の増大を抑制するためで、そのことにより記録媒体前進時の、吐出に伴う電力集中、記録ヘッドの温度上昇、記録媒体上でのインクの集中による画像劣化影響を抑制することができた。
【００３８】
（第３の実施形態）
本実施形態は第２の実施形態の応用事例である。第２の実施形態と同様の部分は省略する。
【００３９】
本実施形態ではＹ（イエロー）、ＰＣ（淡シアン）、ＰＭ（淡マゼンタ）に対しては図８で示したパス分割マスクを用いる。即ち、１パス目では２５％、２パス目では５０％、３パス目では２５％と図６で示した往復差マスクと逆の関係になっている。このことで第１の実施形態で示した搬送精度に起因した画像劣化を抑制しつつ、第２の実施形態で示した記録媒体前進時の、吐出に伴う電力集中、記録ヘッドの温度上昇、記録媒体上でのインクの集中による画像劣化影響を抑制することができた。
【００４０】
（第４の実施形態）
本実施形態は第１の実施形態の適用を印字モード毎、印字パス数毎に限定する例である。第１の実施形態と同様の部分は省略する。
【００４１】
本実施形態では記録の速さ、きれいさに応じて３つの印字モードを設けている。４つの印字モードはそれぞれ異なる記録パス数で動作される。これを図９に示す。
【００４２】
ここで本実施形態では、「はやい」即ち、３パスでは均等マスクを、「標準」「きれい」即ち、７パス１１パスでは往復差マスクを用いている。これを図１０に示す。
【００４３】
これは３パスのような低パス記録では１パスあたりの吐出数が大きいため、往復差マスクを用いた場合、記録媒体前進時の吐出に伴う電力集中、記録ヘッドの温度上昇、記録媒体上でのインクの集中が許容できない場合があるのに対し、７パス１１パスのような高パス記録では１パスあたりの吐出数が小さいため、往復差マスクを用いても記録媒体前進時の吐出に伴う電力集中、記録ヘッドの温度上昇、記録媒体上でのインクの集中による画像劣化が許容できるためである。
【００４４】
（第５の実施形態）
本実施形態は第４の実施形態の応用事例である。第４の実施形態と同様の部分は省略する。
【００４５】
本実施形態では第４の実施形態で示した例に加え、記録媒体による限定も加えた例である。例えば、記録媒体上にインク受容層を持たない普通紙とインク受容層を持つ光沢紙とでは図１１のような特性がある。普通紙はインクのにじみ量が大きく、搬送精度による画像劣化影響を受けにくい一方、インク受容許容量が小さい。光沢紙はインクのにじみ量が小さく、搬送精度による画像劣化影響を受けやすい一方、インク受容許容量が大きい。
【００４６】
そこで本実施形態では記録媒体に応じて、往復差マスクを用いる印字モード、印字パス数を異ならせている。これを図１２に示す。
【００４７】
このことにより記録媒体に応じて、より最適なパス分割マスクを適用することができ、搬送精度影響による画像劣化抑制と、記録媒体前進時の記録媒体上でのインクの集中による画像劣化を両立することができた。また本実施形態では普通紙と光沢紙を例に説明したが、その他の記録媒体においても同様な考え方が適用可能である。
【符号の説明】
【００４８】
１  インクジェット記録装置、２  記録ヘッド、４  記録媒体、
７  搬送ローラ、１０  搬送駆動部
【図１】
2020196136.tif 000003
【図２】
2020196136.tif 000004
【図３】
2020196136.tif 000005
【図４】
2020196136.tif 000006
【図５】
2020196136.tif 000007
【図６】
2020196136.tif 000008
【図７】
2020196136.tif 000009
【図８】
2020196136.tif 000010
【図９】
2020196136.tif 000011
【図１０】
2020196136.tif 000012
【図１１】
2020196136.tif 000013
【図１２】
2020196136.tif 000014